(57)【要約】【課題】牛乳等の入ったパッケージの解体がワンタッチでできるパッケージを提供する。【解決手段】牛乳等の飲料が注入され、函状に密封して構成されたパッケージであって、該パッケージの上部開封口の近傍に設けられたパッケージ解体用の開封片と、前記パッケージの内面所定位置に形成されたミシン目や解体用溝部からなるパッケージ解体機構と、前記開封片と連設し前記パッケージ解体機構に設けられた合成樹脂性の紐体からなる解体補助部材とから構成される。【選択図】        図１
2007126162.tif 000002
【特許請求の範囲】
【請求項１】
牛乳等の飲料が注入され、函状に密封して構成されたパッケージであって、該パッケージの上部開封口の近傍に設けられたパッケージ解体用の開封片と、前記パッケージの内面所定位置に形成されたパッケージ解体機構と、前記開封片と連設し前記パッケージ解体機構に設けられた解体補助部材とから構成されるパッケージ構造。
【請求項２】
前記パッケージ解体機構は、パッケージ内面の上部から下部所定位置までパッケージ側面角部に沿って形成されたミシン目と、該ミシン目と連接しパッケージ底部近傍の内面に底部と平行に形成されたミシン目であることを特徴とする請求項１記載のパッケージ構造。
【請求項３】
前記パッケージ解体機構は、パッケージ内面の上部から下部所定位置までパッケージ側面角部に沿って形成された切り取り用溝部と、該ミシン目と連接しパッケージ底部近傍の内面に底部と平行に形成された切り取り用溝部であることを特徴とする請求項１記載のパッケージ構造。
【請求項４】
前記解体補助部材は、合成樹脂等からなる紐体で構成され、前記開封片と連接し前記パッケージ解体機構に貼設して設けられたことを特徴とする請求項１記載のパッケージ構造。
【発明の詳細な説明】
【技術分野】
【０００１】
本発明は、パッケージ構造であって、とくに牛乳等の飲料の容器として使用され、使用済みとなったパッケージの解体が容易なパッケージ構造に関するものである。
【背景技術】
【０００２】
現在、牛乳等の飲料の容器として使用されるパッケージは、各自治体において再利用（リサイクル）できるように分別して回収が行なわれている。このため、各家庭においても使用済みのパッケージは洗浄して解体し、分別して排出するように指導されている。
【０００３】
しかしながら、従来のパッケージの場合、容器素材である紙が厚くまた接合部も強く接着されているため、素手での解体が困難であり、鋏等による切断を必要とするため多くの手間を要した。そのため、パッケージを解体せずに排出するためパッケージの回収効率が低下したり、分別しないまま排出し再利用（リサイクル）されずに焼却処分されるという問題もあった。
【０００４】
そこで、牛乳パック類の中空部へ、上方から挿入可能の直方体にして該直方体の外面１コーナーの下端に刃先を下方に臨ませる縦切断刃を突設すると共に、該下端の方形周縁に針先を下方に臨ませるミシン目孔加工刃を備えた解体とからなる牛乳パック類の解体器が提案されている（特許文献１参照。）。また、パッケージ側面に、鋏などの道具を用いずに、破ることによって解体できる切り取り線を設けた牛乳パックも提案されている（特許文献２参照。）。
【０００５】
【特許文献１】特開２００４−２７５２３５号公報
【特許文献２】特開２００５−２９２１２号公報
【発明の開示】
【発明が解決しようとする課題】
【０００６】
しかしながら、上記特許文献１に提案されている牛乳パック類の解体器は、鋏の代用として有効であるが、牛乳パック類の解体以外の使用を考慮していないため汎用性がなく、しかも同時に大量のパックを解体処理するには多数の解体器が必要となるという問題かある。
【０００７】
また、特許文献２に提案されている牛乳パックの場合、パック側面に切り取り線を設け、鋏などの道具を用いずに、破ることによって解体するものであるが、解体を行なう際には従来と同様に両手で強く裂け目を付けて、切り取り線に従い解体する必要があった。またパックの底面に隣接する切り取り線は、紙の目と直行するため解体が困難であるという問題があった。しかもパックの側面には切り取り線が形成されているため意匠的に良い印象を与えないものであった。
【０００８】
本発明は、上記の問題点に鑑みなされたもので、鋏や解体器などを使用せずに少ない力で容易にパッケージの解体ができ、しかもパッケージの側面の意匠には何ら影響を与えないパッケージ構造を提供することを目的とする。
【課題を解決するための手段】
【０００９】
このため本発明のパッケージ構造は、牛乳等の飲料が注入され、函状に密封して構成されたパッケージであって、該パッケージの上部開封口の近傍に設けられたパッケージ解体用の開封片と、前記パッケージの内面所定位置に形成されたパッケージ解体機構と、前記開封片と連設し前記パッケージ解体機構に設けられた解体補助部材とから構成されることを第１の特徴とする。
【００１０】
また、前記パッケージ解体機構は、パッケージ内面の上部から下部所定位置までパッケージ側面角部に沿って形成されたミシン目と、該ミシン目と連接しパッケージ底部近傍の内面に底部と平行に形成されたミシン目であることを第２の特徴とする。
【００１１】
そして、前記パッケージ解体機構は、パッケージ内面の上部から下部所定位置までパッケージ側面角部に沿って形成された切り取り用溝部と、該切り取り用溝部と連接しパッケージ底部近傍の内面に底部と平行に形成された切り取り用溝部であることを第３の特徴とする。
【００１２】
さらに、前記解体補助部材は、合成樹脂等からなる紐体で構成され、前記開封片と連接し前記パッケージ解体機構に貼設して設けられたことを第４の特徴とする。
【発明の効果】
【００１３】
本発明によるパッケージ構造によれば、パッケージの上部開封口の近傍に設けられたパッケージ解体用の開封片と、前記パッケージの内面所定位置に形成されたパッケージ解体機構と、前記開封片と連設し前記パッケージ解体機構に設けられた解体補助部材とから構成されているため、前記開封片を使って容易に解体操作が開始でき、パッケージ解体機構と解体補助部材とを併用することによって鋏などを使用することなく簡単にパッケージの解体ができるという優れた効果を有する。
【００１４】
また、前記パッケージ解体機構は、パッケージ内面の上部から下部所定位置、そしてパッケージ底部近傍の内面に底部と平行に形成されたミシン目若しくは切り取り用溝部であり、パッケージの側面の意匠を損なわないという効果を有する。
【００１５】
さらに、合成樹脂製の紐体からなる解体補助部材が前記開封片と連接し前記パッケージ解体機構に貼設して設けられているため、解体前の前記パッケージ解体機構を補強すると共に解体時にパッケージの解体がスムーズとなるという優れた効果を有する。
【発明を実施するための最良の形態】
【００１６】
以下、本発明のパッケージ構造を実施例に基づいて説明するが、本発明が本実施例に限定されないことは言うまでもない。図１は本発明の一実施例に係るパッケージ構造の斜視図、図２は図１のＡ−Ａ線断面図、図３は本発明の一実施例に係るパッケージ構造の解体状況を説明する斜視説明図、図４は本発明の一実施例に係るパッケージ構造を解体した状態を示す平面図である。
【実施例】
【００１７】
図１乃至図３に示すように、本発明に係るパッケージ構造は、直方体状のパッケージ本体１の上部開口部４の中央部近傍に設けられた開封片２と、パッケージ本体１の内側面に形成された切り取り線３と、切り取り線３に沿って貼設された紐体５とから構成されている。パッケージ本体１は防水加工が施され牛乳等の飲料物を充填し密封して使用され、開封片２はパッケージ本体１の製造時に同一材料にて一体に成形されるか、プラスチック等の薄片を貼着して構成されている。また切り取り線３はパッケージ本体１の成形時に型抜き装置によりハーフカット刃型を使用してパッケージ本体１の内側から形成され、パッケージ本体１の表面からは視認されずパッケージ表面の意匠を損なわない。そして紐体５はポリプロピレン等の合成樹脂で成形され、開封片２と連結し切り取り線３に沿って貼設され、パッケージ本体１の解体を容易とすると共に切り取り線３の補強を兼ねる。
【００１８】
尚、切り取り線３が設定される位置は、パッケージ本体１の縦方向では側面角部が望ましく、底部においては底部と側面との接触線から数ミリ上方に形成されたものが望ましいが、パッケージ本体１の形状、容量によって適宜選択されて形成される。
【００１９】
この構成において、パッケージ本体１を解体する工程を説明すると。図３に示すようにパッケージ本体１の上部開口部４の中央部近傍に予め設けられた開封片２を矢印の方向に指で引っ張ると、開封片２連結されている紐体５が開封片２と共にパッケージ本体１の切り取り線３を切断し、破断部３１を形成しながら移動し、図４に示すようにパッケージ本体１は解体され一枚の平板となる。
【００２０】
上記実施例においては、パッケージ本体１の内側に切り取り線３が形成されたパッケージ構造を例として説明しているが、切り取り線３の位置に切り取り用溝部が形成されたものであっても良く、該切り取り用溝部はパッケージ本体１の成形時に型抜き装置により押し型を使用してパッケージ本体１の内側から形成される。そして、このパッケージ構造によるによれば、上述の実施例と同様の作用効果が実現できる。
【００２１】
さらに、前記切り取り線３や切り取り用溝がパッケージ本体１の内面の複数個所（例えば側面の縁部４箇所）に形成され、同時に紐体５も複数個所に貼設され、そして開封片２も複数設けられていてもよく、パッケージ本体１の容量や材質によって適宜選択される。
【００２２】
以上の構成からなる本発明のパッケージ構造によれば、鋏や解体器などを使用せずに少ない力で容易にパッケージの解体がでる。
【００２３】
さらに、パッケージの内側に切り取り線や切り取り用の溝が形成されているため、パッケージ側面の意匠を何ら損なうことが無い。
【産業上の利用可能性】
【００２４】
本発明によるパッケージ構造によれば、パッケージの解体作業が非常に簡単であるため自治体の分別回収によるリサイクルに協力し易くなり、紙資源の再利用が促進でき、木材資源の消費が抑制され自然環境の貢献技術をして好適に使用できる。
【図面の簡単な説明】
【００２５】
【図１】本発明の一実施例に係るパッケージ構造の斜視図である。
【図２】図１のＡ−Ａ線断面図である。
【図３】本発明の一実施例に係るパッケージ構造を解体する状況を説明する説明斜視図である。
【図４】本発明の一実施例に係るパッケージ構造を解体した状態を示す平面図である。
【符号の説明】
【００２６】
１            パッケージ本体
２            開封片
３            切り取り線
４            開口部
５            紐体
３１            破断部
【図１】
2007126162.tif 000003
【図２】
2007126162.tif 000004
【図３】
2007126162.tif 000005
【図４】
2007126162.tif 000006